(57)【要約】【課題】給湯器を用いた追い焚き回路に高濃度の酸素を混入し、浴槽水中の広範囲に噴流することで快適な入浴装置を提供する。【解決手段】ポンプ１８により浴槽の湯が循環する追焚き循環回路２０に接続され、気体を追焚き循環回路２０に混入させる混入手段２８を有し、前記追い焚き循環回路２０に混入させた気体をノズル３１より噴出させる構成とし、前記ノズル３１はほぼ円形の断面で流れの一部を内側に方向付けする突起部３２を有する構成としてある。【選択図】図２
2005261816.tif 000002
【特許請求の範囲】
【請求項１】
ポンプにより浴槽の湯が循環する追焚き循環回路に接続され、気体を追焚き循環回路に混入させる混入手段を有し、前記追い焚き循環回路に混入させた気体をノズルより噴出させる構成とし、前記ノズルはほぼ円形の断面で流れの一部を内側に方向付けする突起部を有する構成とした浴槽気泡噴出装置。
【請求項２】
突起部に対向する部分を上流側に後退させる構成とした請求項１記載の浴槽気泡噴出装置。
【請求項３】
突起部の上流側に流れの方向に沿った突起ガイドを設けた構成とした請求項１記載の浴槽気泡噴出装置。
【請求項４】
ポンプにより浴槽の湯が循環する追焚き循環回路に接続され、気体を追焚き循環回路に混入させる混入手段を有し、前記追い焚き循環回路に混入させた気体をノズルより噴出させる構成とし、前記混入手段直前の上流側に絞りを有する構成とした浴槽気泡噴出装置。
【請求項５】
絞りの径を絞りの下流側が負圧にならない程度の大きさにした請求項４記載の浴槽気泡気泡噴出装置。
【請求項６】
ポンプにより浴槽の湯が循環する追焚き循環回路に接続され、気体を追焚き循環回路に混入させる混入手段を有し、前記追い焚き循環回路に混入させた気体をノズルより噴出させる構成とし、前記混入手段直前の上流側に絞りを有し、かつ前記混入手段の上流側に逆止弁を設け、前記逆止弁の閉止ばね力を前記絞りによって生ずる負圧よりも大きくなるように構成した浴槽気泡噴出装置。
【請求項７】
ポンプにより浴槽の湯が循環する追焚き循環回路に接続され、気体を追焚き循環回路に混入させる混入手段を有し、前記追い焚き循環回路に混入させた気体をノズルより噴出させる構成とし、前記混入手段直前の上流側に絞りを有し、かつ前記混入手段の上流側に遮断弁を設け、気体を混入する場合以外は通路を遮断するように構成した浴槽気泡噴出装置。
【発明の詳細な説明】
【技術分野】
【０００１】
本発明は追焚き循環回路を有する給湯器の循環回路中に、酸素等の気体を供給する機能を有する浴槽気泡噴出装置に関するものである。
【背景技術】
【０００２】
従来、この種の浴槽気泡噴出装置は、ジェットバス等の浴槽水を循環させる管路に気体を供給する供給部を設け、この供給部に酸素富化空気を供給するための酸素富化装置を設けたものである。図１３は、前記公報に記載された従来の浴槽内への酸素供給装置を示すものである。図において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００３】
しかしながら、前記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００４】
本発明は、前記従来の課題を解決するもので、殆どの家庭で設置している、ポンプにより浴槽の湯が循環する追い焚き循環回路を有する給湯機の前記追焚き循環回路に、酸素富化装置からの高濃度の酸素等の気体を混入させ、浴槽に取り付けた風呂アダプターを利用した浴槽気泡噴出装置より噴出させる構成とすることで安価に取り付けでき、かつ循環流量も少ないので、長時間の酸素等の気体の供給も可能な装置を提供することを目的とする。
【課題を解決するための手段】
【０００５】
前記従来の課題を解決するために、本発明の浴槽気泡噴出装置は、ポンプにより浴槽の湯が循環する追焚き循環回路に接続され、気体を追焚き循環回路に混入させる混入手段を有し、前記追い焚き循環回路に混入させた気体をノズルより噴出させる構成とし、前記ノズルはほぼ円形の断面で流れの一部を内側に方向付けする突起部を有する構成としたものである。
【０００６】
これによって、一般的に家庭で使用する給湯器等を用いた追焚き装置を一部改造し、酸素富化装置他を追加するだけで、高濃度の酸素等の気体を簡単に得ることができるようになるとともに、浴槽水中に気体を混入した噴流を遠くまで到達させることができ、より快適な入浴が実現できるものである。
【発明の効果】
【０００７】
本発明の浴槽気泡噴出装置は、酸素富化装置で生成される高濃度の酸素を追い焚き循環流路中に混入すれば、入浴中の人が高濃度の酸素を吸いながら湯につかることで、温浴効果を促進したり、居眠りを防止したりすることができ、また、酸素以外の気体や空気であっても、気泡が破裂するときの超音波の発生等により洗浄効果等が期待されることを簡単な構成で実現できるものであり、かつ気体を混入した噴流を浴槽水中の遠くまで到達させることができるので、より快適な入浴が実現できるものである。
【発明を実施するための最良の形態】
【０００８】
第１の発明は、ポンプにより浴槽の湯が循環する追焚き循環回路に接続され、気体を追焚き循環回路に混入させる混入手段を有し、前記追い焚き循環回路に混入させた気体をノズルより噴出させる構成とし、前記ノズルはほぼ円形の断面で流れの一部を内側に方向付けする突起部を有する構成としたことを特徴とするものであり、殆どの家庭で使用されている給湯器の追焚き配管を利用して酸素や気泡の効果を得られるものである。すなわち、混入手段によって、酸素富化装置からの高濃度の酸素等の気体は追焚き配管の中の湯または水に混入され、この酸素が混入された湯または水が浴槽に取り付けた追焚きアダプターから噴出するときに、高濃度の酸素等の気体が気泡となって浴槽水の中を通過し、その後、浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。
【０００９】
また、酸素以外の気体や空気であっても、気泡が破裂するときの超音波の発生等により洗浄効果等が期待されるものである。そして、この構成であれば、給湯機のケーシングの中に納まるので余分なスペースも不要であると共に、安価に製作ができるため、一般の家庭への設置も可能である。
【００１０】
また、前記ノズルはほぼ円形の断面で流れの一部を内側に方向付けする突起部を有する構成としたことにより、噴流が遠くまで到達するので、より快適な入浴が実現できるものである。
【００１１】
第２の発明は、第１の発明において、突起部に対向する部分を上流側に後退させる構成としたもので、突起部によって上方に向けられた流れが邪魔するものがないためスムーズに上方に向かい、全体に気泡を拡散させることが可能にできるものである。
【００１２】
第３の発明は、突起部の上流側に流れの方向に沿った突起部を設けたもので、流れが突起部に沿うことで整流され、気泡噴出時の騒音を低減する効果があるものである。
【００１３】
第４の発明は、ポンプにより浴槽の湯が循環する追焚き循環回路に接続され、気体を追焚き循環回路に混入させる混入手段を有し、前記追い焚き循環回路に混入させた気体をノズルより噴出させる構成とし、かつ前記混入手段直前の上流側に絞りを有するごとくしたもので、絞りによって循環回路の流れの流速が増加することで、エゼクタ効果により混入手段の気体の入る部分の圧力が低下して気体が混入する時の圧力損失が減少するものである。これにより、真空ポンプに対する負圧が小さくなり性能や耐久性が向上するという効果が得られる。
【００１４】
第５の発明は、第４の発明における絞りの径を、絞りの下流側が負圧にならない程度の大きさにしたもので、空気を混入しない場合にエゼクタ効果で空気を吸込むことで不要な気泡の発生を防止するものである。
【００１５】
第６の発明は、ポンプにより浴槽の湯が循環する追焚き循環回路に接続され、気体を追焚き循環回路に混入させる混入手段を有し、前記追い焚き循環回路に混入させた気体をノズルより噴出させる構成とし、かつ前記混入手段直前の上流側に絞りを有するごとくし、かつ前記混入手段の上流側に逆止弁を設け、前記逆止弁の閉止ばね力を前記絞りによって生ずる負圧よりも大きくなるように構成したもので、エゼクタ効果によって生ずる負圧に対抗できるばね力で弁を閉止することで不要な気泡の発生を防止すると共に、弁洩れを防止することができるものである。
【００１６】
第６の発明は、ポンプにより浴槽の湯が循環する追焚き循環回路に接続され、気体を追焚き循環回路に混入させる混入手段を有し、前記追い焚き循環回路に混入させた気体をノズルより噴出させる構成とし、前記混入手段直前の上流側に絞りを有するごとくし、かつ前記混入手段の上流側に遮断弁を設け、空気を混入する場合以外は通路を遮断するように構成したもので、逆止弁よりも確実に気泡の発生を防止できると共に、気泡のあり・なしを遮断弁のＯＮ・ＯＦＦで任意に設定出来、種々のパターンの噴出リズムで動作させることが可能となる。
【００１７】
以下、本発明の実施の形態について、図面を参照しながら説明する。なお本実施の形態によって本発明が限定されるものではない。
【００１８】
（実施の形態１）
図１は、本発明の第１の実施の形態における浴槽気泡噴出装置を取り付けた酸素富化給湯装置の全体構成図を示すものである。
【００１９】
図１において、給湯装置本体９は、熱交換器１２を加熱するバーナ１０と、バーナ１０に燃焼空気を送るバーナファン１１と、燃焼空気の排気口１３と、給湯回路１４と、追い焚き循環回路２０を備え、前記給湯回路１４は給湯入口１５から入った水が熱交換器１２で加熱されて給湯出口１６から出、カラン１７等から吐出される。また、追焚き循環回路２０には風呂ポンプ１８が設けられ、循環ポンプ１８から供給される循環水はパイプ１９を通りながら熱交換器１２で加熱された後、追い焚きアダプター２２より浴槽２１に戻される。また、前記追い焚きアダプター２２には給湯装置本体９に内蔵した酸素富化装置２６で発生する高濃度の酸素を気体用配管２７を介して浴槽内に混入させる混入手段２８が設けられており浴槽気泡噴出装置を構成している。そして、酸素運転が指示された場合、酸素富化装置２６の運転開始により前記混入手段２８を介して浴槽２１内に酸素富化空気が混入される。酸素富化装置２６は酸素富化膜２３と、空気を減圧して酸素富化膜２３の間に空気を通し高酸素濃度の空気を得るための真空ポンプ２４と、酸素富化膜２３に新鮮空気を送るための送風ファン２５で構成している。
【００２０】
以上のように構成された浴槽気泡噴出装置を取り付けた酸素富化給湯装置について、以下その動作・作用を説明する。
【００２１】
浴槽気泡噴出装置である追い焚きアダプター２２によって酸素富化装置２６からの高濃度の酸素は追焚き回路２０の中の湯または水に混入され、この酸素が混入された湯または水が浴槽の中に噴出するときに、高濃度の酸素が気泡３４となって浴槽水の中を通過し、その後、浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００２２】
図２〜図４に、浴槽気泡噴出装置である追い焚きアダプター２２の一実施例を示す。２８は混入手段、２９は接続部、３０はノズルガイド、３１はほぼ円形の断面で流れの一部を内側に方向付けする突起部３２を有する構成とした差込ノズルである。３３は、接続部２９と混合手段２８とを接続するファスナーである。
【００２３】
そして、ノズル３１は図３に示すように、ほぼ円形の断面で流れの一部を内側に方向付けする突起部３２を有する構成としたことにより、図４に示すように突起部３２近傍の流速が増加する。この結果、図５に示すように噴流が浴槽２１の底面と干渉し、これに沿って流れることにより、噴流が遠くまで到達するので、より快適な入浴が実現できるものである。
【００２４】
（実施の形態２）
また、第２の実施の形態として図６に示すように、突起部３２に対向する部分３５を上流側に後退させる構成とすることにより、突起部３２によって上方に向けられた流れが邪魔するものがなくなるためスムーズに上方に向かい、図７に示すように、浴槽全体に噴流とともに気泡を拡散させることが可能になるものである。
【００２５】
（実施の形態３）
また、第３の実施の形態として図８および図９に示すように、突起部３２の上流側に流れの方向に沿った突起ガイド３６を設けることにより、流れが突起ガイド３６に沿うことで整流され、気泡噴出時の騒音を低減する効果があるものである。
【００２６】
（実施の形態４）
そして、第４の実施の形態として図１０に示すように、混入手段２８直前の上流側に絞り３７を有する構成としたもので、絞り３７によって循環回路の流れの流速が増加することで、エゼクタ効果により気体の混入手段２８の空気の入る部分の圧力が低下して気体が混入する時の圧力損失が減少するものである。また、絞り３７の径を、絞りの下流側が負圧にならない程度の大きさにしたもので、追い焚き運転等のように空気を混入しない使い方の場合にエゼクタ効果で空気を吸込むことで不要な気泡の発生を防止するものである。
【００２７】
（実施の形態５）
また、第５の実施の形態として図１１に示すように、混入手段２８の上流側に逆止弁３８を設け、前記逆止弁３８の閉止ばね３９の閉止力を前記絞り３７によって生ずる負圧より大きくなるように構成したもので、エゼクタ効果によって生ずる負圧に対抗できるばね力で弁を閉止することで不要な気泡の発生を防止すると共に、弁漏れを防止することができるものである。
【００２８】
（実施の形態６）
また、第６の実施の形態として図１２に示すように、混入手段２８の上流側に遮断弁４０（４１は鉄心、４２はコイル）を設け、空気を混入する場合以外は通路を遮断するように構成したもので、逆止弁３８よりも確実に気泡の発生を防止できると共に、気泡の有り・なしを遮断弁のＯＮ・ＯＦＦで任意に設定出来、種々のパターンの噴出リズムで動作させることが可能となるものである。
【産業上の利用可能性】
【００２９】
以上のように、本発明の浴槽気泡噴出装置は、ポンプにより浴槽の湯が循環する追焚き循環回路に接続された追い焚きアダプターに気体混入手段を設け、循環水を噴出するノズルの先端部に流れの一部を内側に方向付けする突起部を設けることで噴流到達距離を長くしたもので、浴槽以外の噴流装置にも適用できる。
【図面の簡単な説明】
【００３０】
【図１】本発明の実施の形態１における酸素富化給湯装置の全体構成図
【図２】本発明の実施の形態１における浴槽気泡噴出装置の断面図
【図３】同浴槽気泡噴出装置の部分拡大図
【図４】同浴槽気泡噴出装置の断面図
【図５】同浴槽気泡噴出装置の噴流状態を示す図
【図６】本発明の実施の形態２における浴槽気泡噴出装置の断面図
【図７】同浴槽気泡噴出装置の動作を示す断面図
【図８】本発明の実施の形態３における浴槽気泡噴出装置の断面図
【図９】同浴槽気泡噴出装置の部分拡大図
【図１０】本発明の実施の形態４における浴槽気泡噴出装置の断面図
【図１１】本発明の実施の形態５における浴槽気泡噴出装置の断面図
【図１２】本発明の実施の形態６における浴槽気泡噴出装置の断面図
【図１３】従来の酸素供給装置の全体構成図
【符号の説明】
【００３１】
１８  ポンプ
２０  追焚き循環回路
２７  気体用配管
２８  混入手段
３１  ノズル
３２  突起部
【図１】
2005261816.tif 000003
【図２】
2005261816.tif 000004
【図３】
2005261816.tif 000005
【図４】
2005261816.tif 000006
【図５】
2005261816.tif 000007
【図６】
2005261816.tif 000008
【図７】
2005261816.tif 000009
【図８】
2005261816.tif 000010
【図９】
2005261816.tif 000011
【図１０】
2005261816.tif 000012
【図１１】
2005261816.tif 000013
【図１２】
2005261816.tif 000014
【図１３】
2005261816.tif 000015